(57)【要約】【課題】チケットの発行にかかる時間の短縮化を図り得る、チケット発行装置、チケット発行システム、チケット発行方法、及びプログラムを提供する。【解決手段】チケット発行装置１０は、管理装置２０からの指示に基づいてチケットを発行する装置である。チケット発行装置１０は、ユーザによるチケットの購入に関する情報を、購入情報として取得する、情報取得部１１と、取得された購入情報を管理装置２０に送信し、管理装置２０から購入情報に対応する管理情報が送信されてきたときは、管理情報を受信する、通信部１２と、管理情報の受信に先立って、プリンタ１４によって、購入情報を、チケットとなるチケット用紙に印刷し、そして、管理情報が受信されると、プリンタ１４によって、管理情報を、購入情報が印刷されたチケット用紙に印刷する、印刷処理部１３と、を備えている。【選択図】図１
2018073063.tif 000002
【特許請求の範囲】
【請求項１】
管理装置からの指示に基づいてチケットを発行する装置であって、
ユーザによる前記チケットの購入に関する情報を、購入情報として取得する、情報取得部と、
取得された前記購入情報を前記管理装置に送信し、前記管理装置から前記購入情報に対応する前記管理情報が送信されてきたときは、前記管理情報を受信する、通信部と、
前記管理情報の受信に先立って、プリンタによって、前記購入情報を、前記チケットとなるチケット用紙に印刷し、そして、前記管理情報が受信されると、前記プリンタによって、前記管理情報を、前記購入情報が印刷された前記チケット用紙に印刷する、印刷処理部と、
を備えている、ことを特徴とするチケット発行装置。
【請求項２】
前記印刷処理部は、前記プリンタに、前記チケット用紙の印刷方向側の領域において、前記購入情報を印刷させ、前記領域以外の領域に、前記管理情報を印刷させる、
請求項１に記載のチケット発行装置。
【請求項３】
管理装置と、前記管理装置からの指示に基づいてチケットを発行するチケット発行装置と、を備え、
前記チケット発行装置は、
ユーザによる前記チケットの購入に関する情報を、購入情報として取得する、情報取得部と、
取得された前記購入情報を前記管理装置に送信し、前記管理装置から前記購入情報に対応する前記管理情報が送信されてきたときは、前記管理情報を受信する、通信部と、
前記管理情報の受信に先立って、プリンタによって、前記購入情報を、前記チケットとなるチケット用紙に印刷し、そして、前記管理情報が受信されると、前記プリンタによって、前記管理情報を、前記購入情報が印刷された前記チケット用紙に印刷する、印刷処理部と、
を備えている、ことを特徴とするチケット発行システム。
【請求項４】
前記印刷処理部は、前記プリンタに、前記チケット用紙の印刷方向側の領域において、前記購入情報を印刷させ、前記領域以外の領域に、前記管理情報を印刷させる、
請求項３に記載のチケット発行システム。
【請求項５】
前記管理装置は、
前記購入情報が送信されてきた場合に、前記購入情報に対して識別番号を設定し、前記識別番号を含む管理情報を生成する、管理情報設定部と、
生成された前記管理情報を、前記チケット発行装置に送信する、通信部と、
を備えている、
請求項３または４に記載のチケット発行システム。
【請求項６】
管理装置からの指示に基づいてチケットを発行するための方法であって、
（ａ）ユーザによる前記チケットの購入に関する情報を、購入情報として取得する、ステップと、
（ｂ）取得された前記購入情報を前記管理装置に送信する、ステップと、
（ｃ）前記管理装置から前記購入情報に対応する前記管理情報が送信されてきたときに、前記管理情報を受信する、ステップと、
（ｄ）前記管理情報の受信に先立って、プリンタによって、前記購入情報を、前記チケットとなるチケット用紙に印刷する、ステップと、
（ｅ）前記管理情報が受信されると、前記プリンタによって、前記管理情報を、前記購入情報が印刷された前記チケット用紙に印刷する、ステップと、
を有する、ことを特徴とするチケット発行方法。
【請求項７】
前記（ｄ）のステップにおいて、前記プリンタに、前記チケット用紙の印刷方向側の領域において、前記購入情報を印刷させ、
前記（ｅ）のステップにおいて、前記プリンタに、前記領域以外の領域に、前記管理情報を印刷させる、
請求項６に記載のチケット発行方法。
【請求項８】
コンピュータによって、管理装置からの指示に基づいてチケットを発行するためのプログラムであって、
前記コンピュータに、
（ａ）ユーザによる前記チケットの購入に関する情報を、購入情報として取得する、ステップと、
（ｂ）取得された前記購入情報を前記管理装置に送信する、ステップと、
（ｃ）前記管理装置から前記購入情報に対応する前記管理情報が送信されてきたときに、前記管理情報を受信する、ステップと、
（ｄ）前記管理情報の受信に先立って、プリンタによって、前記購入情報を、前記チケットとなるチケット用紙に印刷する、ステップと、
（ｅ）前記管理情報が受信されると、前記プリンタによって、前記管理情報を、前記購入情報が印刷された前記チケット用紙に印刷する、ステップと、
を実行させる、プログラム。
【請求項９】
前記（ｄ）のステップにおいて、前記プリンタに、前記チケット用紙の印刷方向側の領域において、前記購入情報を印刷させ、
前記（ｅ）のステップにおいて、前記プリンタに、前記領域以外の領域に、前記管理情報を印刷させる、
請求項８に記載のプログラム。
【発明の詳細な説明】
【技術分野】
【０００１】
本発明は、チケットを発行するための、チケット発行装置、チケット発行システム、及びチケット発行方法に関し、更には、これらを実現するためのプログラムに関する。
【背景技術】
【０００２】
近年、映画、コンサート、スポーツ観戦、レジャー施設等のチケットの多くは、コンビニエンスストア等に導入されたチケット発行システムから、購入することが可能となっている。このようなチケット発行システムによれば、ユーザは、自宅又は職場の近くにおいて、予めチケットを購入できるので、当日チケット売場で並んだり、希望の席を取れなかったり、といったことを回避できる。
【０００３】
ここで、従来からのチケット発行システムの一例について説明する。特許文献１は、従来からのチケット発行システムの一例を開示している。特許文献１に開示されたチケット発行システムは、店舗に配置されるチケット発行端末と、店舗から離れた所に設置されている管理用のサーバとで構成されている。
【０００４】
そして、特許文献１に開示されたチケット発行システムでは、チケット発行端末は、ロール状に巻き込まれたチケット用紙を備えている。チケット用紙は、所定の長さで切断されてチケットとなるため、その裏面には、所定の間隔で、予め裏面番号が印刷されている。チケット発行端末は、ユーザによって入力が行なわれてチケットの発行が要求されると、チケット用紙の裏面番号を読み取り、読み取った裏面番号とユーザ入力データとをサーバに送信する。
【０００５】
サーバは、裏面番号とユーザ入力データとを受信すると、識別番号を発行し、発行した識別番号と受信した裏面番号及びユーザ入力データとを紐付け、これらを登録する。また、サーバは、ユーザ入力データと識別番号とをチケット発行端末に返却する。その後、チケット発行端末は、ユーザ入力データと識別番号とを、チケット用紙に印刷し、印刷された部分を切断し、切断片をチケットとして排出する。
【０００６】
特許文献１に開示されたチケット発行システムでは、チケットには、識別番号に加えて、裏面番号が印刷されているので、識別番号が識別できなくなった場合でも、チケットのユーザを特定でき、チケットを管理することができる。
【先行技術文献】
【特許文献】
【０００７】
【特許文献１】特許第３３７４７５５号
【発明の概要】
【発明が解決しようとする課題】
【０００８】
しかしながら、上記特許文献１に開示されたチケット発行システムでは、チケット発行端末は、サーバからのユーザ入力データ及び識別番号の返却があってから、チケット用紙への印刷を実行する。即ち、チケット発行端末は、自信が保持しているユーザ入力データの印刷であっても、サーバからの通知を待つ必要がある。このことから、上記特許文献１に開示されたチケット発行システムにおいては、ユーザがデータを入力してから、チケットが発行されるまでの時間が非常に長いという問題がある。
【０００９】
本発明の目的の一例は、上記問題を解消し、チケットの発行にかかる時間の短縮化を図り得る、チケット発行装置、チケット発行システム、チケット発行方法、及びプログラムを提供することにある。
【課題を解決するための手段】
【００１０】
上記目的を達成するため、本発明の一側面におけるチケット発行装置は、管理装置からの指示に基づいてチケットを発行する装置であって、
ユーザによる前記チケットの購入に関する情報を、購入情報として取得する、情報取得部と、
取得された前記購入情報を前記管理装置に送信し、前記管理装置から前記購入情報に対応する前記管理情報が送信されてきたときは、前記管理情報を受信する、通信部と、
前記管理情報の受信に先立って、プリンタによって、前記購入情報を、前記チケットとなるチケット用紙に印刷し、そして、前記管理情報が受信されると、前記プリンタによって、前記管理情報を、前記購入情報が印刷された前記チケット用紙に印刷する、印刷処理部と、
を備えている、ことを特徴とする。
【００１１】
また、上記目的を達成するため、本発明の一側面におけるチケット発行システムは、管理装置と、前記管理装置からの指示に基づいてチケットを発行するチケット発行装置と、を備え、
前記チケット発行装置は、
ユーザによる前記チケットの購入に関する情報を、購入情報として取得する、情報取得部と、
取得された前記購入情報を前記管理装置に送信し、前記管理装置から前記購入情報に対応する前記管理情報が送信されてきたときは、前記管理情報を受信する、通信部と、
前記管理情報の受信に先立って、プリンタによって、前記購入情報を、前記チケットとなるチケット用紙に印刷し、そして、前記管理情報が受信されると、前記プリンタによって、前記管理情報を、前記購入情報が印刷された前記チケット用紙に印刷する、印刷処理部と、
を備えている、ことを特徴とする。
【００１２】
また、上記目的を達成するため、本発明の一側面におけるチケット発行方法は、管理装置からの指示に基づいてチケットを発行するための方法であって、
（ａ）ユーザによる前記チケットの購入に関する情報を、購入情報として取得する、ステップと、
（ｂ）取得された前記購入情報を前記管理装置に送信する、ステップと、
（ｃ）前記管理装置から前記購入情報に対応する前記管理情報が送信されてきたときに、前記管理情報を受信する、ステップと、
（ｄ）前記管理情報の受信に先立って、プリンタによって、前記購入情報を、前記チケットとなるチケット用紙に印刷する、ステップと、
（ｅ）前記管理情報が受信されると、前記プリンタによって、前記管理情報を、前記購入情報が印刷された前記チケット用紙に印刷する、ステップと、
を有する、ことを特徴とする。
【００１３】
更に、上記目的を達成するため、本発明の一側面におけるプログラムは、コンピュータによって、管理装置からの指示に基づいてチケットを発行するためのプログラムであって、
前記コンピュータに、
（ａ）ユーザによる前記チケットの購入に関する情報を、購入情報として取得する、ステップと、
（ｂ）取得された前記購入情報を前記管理装置に送信する、ステップと、
（ｃ）前記管理装置から前記購入情報に対応する前記管理情報が送信されてきたときに、前記管理情報を受信する、ステップと、
（ｄ）前記管理情報の受信に先立って、プリンタによって、前記購入情報を、前記チケットとなるチケット用紙に印刷する、ステップと、
（ｅ）前記管理情報が受信されると、前記プリンタによって、前記管理情報を、前記購入情報が印刷された前記チケット用紙に印刷する、ステップと、
を実行させる、ことを特徴とする。
【発明の効果】
【００１４】
以上のように、本発明によれば、チケットの発行にかかる時間の短縮化を図ることができる。
【図面の簡単な説明】
【００１５】
【図１】図１は、本発明の実施の形態におけるチケット発行装置及びチケット発行システムの概略構成を示すブロック図である。
【図２】図２は、本発明の実施の形態におけるチケット発行装置及びチケット発行システムの構成を具体的に示すブロック図である。
【図３】図３は、本発明の実施の形態において管理装置に登録されている管理情報及び購入情報の一例を示す図である。
【図４】図４は、本発明の実施の形態で用いられる告知情報の一例を示す図である。
【図５】図５は、本発明の実施の形態におけるチケット発行装置の動作を示すフロー図である。
【図６】図６は、本発明の実施の形態で用いられるチケット用紙の印刷領域の一例を示す図である。
【図７】図７は、本発明の実施の形態におけるチケット発行装置１０を実現するコンピュータの一例を示すブロック図である。
【発明を実施するための形態】
【００１６】
（実施の形態）
以下、本発明の実施の形態における、チケット発行装置、チケット発行システム、チケット発行方法、及びプログラムについて、図１〜図７を参照しながら説明する。
【００１７】
［装置構成及びシステム構成］
最初に、本実施の形態におけるチケット発行装置及びチケット発行システムの構成について図１を用いて説明する。図１は、本発明の実施の形態におけるチケット発行装置及びチケット発行システムの概略構成を示すブロック図である。
【００１８】
図１に示すように、本実施の形態におけるチケット発行システム４０は、管理装置２０と、管理装置２０からの指示に基づいてチケットを発行するチケット発行装置１０とを備えている。チケット発行装置１０は、インターネット等のネットワーク３０を介して、管理装置２０に接続されている。
【００１９】
また、図１に示すように、チケット発行装置１０は、情報取得部１１と、通信部１２と、印刷処理部１３とを備えている。情報取得部１１は、ユーザによるチケットの購入に関する情報を、購入情報として取得する。通信部１２は、取得された購入情報を管理装置２０に送信し、管理装置２０から購入情報に対応する管理情報が送信されてきたときは、管理情報を受信する。
【００２０】
また、印刷処理部１３は、管理情報の受信に先立って、プリンタ１４によって、購入情報を、チケットとなるチケット用紙に印刷する。そして、印刷処理部１３は、管理情報が受信されると、プリンタ１４によって、管理情報を、購入情報が印刷されたチケット用紙に印刷する。
【００２１】
また、図１の例では、チケット発行装置１０は、プリンタ１４も備えており、プリンタ１４は、チケット発行装置１０に内蔵されているが、本実施の形態は、この態様に限定されない。本実施の形態では、プリンタ１４は、チケット発光装置１０に有線又は無線によって接続された外部の装置であっても良い。
【００２２】
このように、本実施の形態では、チケット発行装置１０は、管理装置２０から管理情報を受信する前に、自身が保持している購入情報をチケット用紙に印刷することができ、その後、管理装置からの情報を印刷する。このため、チケット発行装置１０は、ユーザがチケットの発行を求めてからすぐにチケット用紙への印刷を開始できるので、従来に比べて、チケットの発行にかかる時間の短縮化を図ることができる。
【００２３】
続いて、図２を用いて、本実施の形態におけるチケット発行システム４０の構成をより具体的に説明する。図２は、本発明の実施の形態におけるチケット発行装置及びチケット発行システムの構成を具体的に示すブロック図である。
【００２４】
図２に示すように、本実施の形態では、チケット発行システム４０を構成するチケット発行装置１０の個数は単独ではなく、複数である。チケット管理装置２０は、複数のチケット発行装置１０を管理している。図２の例では、１つのチケット発行装置１０の構成のみが具体的に示されているが、他のチケット発行装置１０の構成もこれと同様である。
【００２５】
また、図２に示すように、本実施の形態では、チケット発行装置１０は、情報取得部１１、通信部１２、印刷処理部１３、及びプリンタ１４に加えて、チケット用紙供給部１５を備えている。更に、チケット発行装置１０には、チケット１８を排出するための排出口１７が設けられている。
【００２６】
チケット用紙供給部１５は、ロール状に巻き取られたチケット用紙１６を備え、このロール状のチケット用紙１６を回転させることによって、チケット用紙１６をプリンタ１４に供給する。なお、チケット用紙１６は、ロール状に限定されず、短冊状であっても良い。この場合は、チケット用紙供給部１５は、短冊状のチケット用紙を一枚ずつプリンタ１４に供給する。
【００２７】
プリンタ１４は、印刷処理部１３の指示に応じて、チケット用紙１６の所定の箇所に、購入情報及び管理情報を順に印刷し、印刷されたチケット用紙１６をチケット１８として排出口１７から排出する。なお、チケット用紙１６が、上述したように、ロール状の連続した用紙である場合は、プリンタ１４は、チケット用紙１６を所定の長さで切り取り、切り取った部分をチケット１８として排出する。
【００２８】
情報取得部１１は、本実施の形態では、例えば、チケット発行装置１０において、ユーザがチケットの発行を求めて所定の情報を入力すると、まず、ユーザが入力した情報を取得する。具体的には、ユーザが入力した情報としては、ユーザを特定する情報（氏名、住所等）、購入対象となるチケットの内容等が挙げられる。
【００２９】
また、情報取得部１１は、所定の情報が入力された日時及び曜日を特定し、更に、チケット発行装置の識別子、及び設置エリアを特定する。そして、情報取得部１１は、ユーザが入力した情報と、特定した情報とを合わせて、購入情報とする。従って、購入情報には、例えば、購入したチケットの内容、購入者であるユーザを特定する情報、購入時の時刻及び曜日、チケット発行装置の識別子、設置エリア（購入エリア）等が含まれる。
【００３０】
通信部１２は、本実施の形態では、情報取得部１１から購入情報を受け取り、受け取った購入情報を、ネットワーク３０を介して、管理装置２０に送信する。また、通信部１２は、ネットワーク３０を介して、管理装置２０から送信されてきた管理情報を受信し、受信した管理情報を印刷処理部１３に引き渡す。
【００３１】
印刷処理部１３は、本実施の形態では、まず、プリンタ１４に、チケット用紙１６の印刷方向側の領域において、購入情報を印刷させる。そして、印刷処理部１３は、印刷方向方側の領域以外の領域（手前側の領域）に、管理情報を印刷させる。また、印刷処理部１３は、プリンタ１４に印刷を行なわせるため、購入情報及び管理情報を順にプリンタ１４に渡す。
【００３２】
また、印刷処理部１３は、管理情報の印刷後にプリンタ１４にチケット１８を排出させるため、管理情報に印刷終了コードを付加することもできる。この場合、プリンタ１４は、印刷終了コードを検出すると、チケット１８を排出する。
【００３３】
図２に示すように、管理装置２０は、本実施の形態では、管理情報設定部２１と、通信部２２と、チケット情報格納部２３と、告知情報格納部２４とを備えている。通信部２２は、ネットワーク３０を介して、チケット発行装置１０から購入情報が送信されてくると、これを受信し、受信した購入情報を管理情報設定部２１に渡す。
【００３４】
管理情報設定部２１は、通信部２２からから購入情報を受け取ると、購入情報に対して識別番号を設定し、識別番号を含む管理情報を生成する。識別番号は、送信されてきた購入情報を一意に判別するための番号であり、それ自体が管理情報の１つとなる。
【００３５】
また、管理情報設定部２１は、本実施の形態では、上述の識別番号に加えて、送信されてきた購入情報に対して、送信されてきた順に通番（以下「電文通番」と表記する）を付与する。更に、管理情報設定部２１は、管理情報で特定される購入者が、初めてチケットを購入する場合は、購入者を管理するための通番（以下「顧客通番」と表記する）も付与する。そして、管理情報設定部２１は、電文通番及び顧客通番も、管理情報に含ませる。
【００３６】
なお、管理情報で特定される購入者に対して既に顧客通番が付与されている場合は、管理情報設定部２１は、既に付与されている顧客通番を特定し、特定した顧客通番を管理情報に含ませる。
【００３７】
そして、管理情報設定部２１は、図３に示すように、送信されてきた購入情報と、それを識別する識別番号、電文通番、及び顧客通番を含む管理情報とを、互いに関連づけてチケット情報格納部２３に格納する。図３は、本発明の実施の形態において管理装置に登録されている管理情報及び購入情報の一例を示す図である。なお、購入情報と管理情報とを合わせたものを一括して「チケット情報」とする。
【００３８】
また、管理情報設定部２１は、本実施の形態では、告知情報格納部２４に格納されている告知情報の中から、購入情報の内容に対応する告知情報を選択し、選択した告知情報も管理情報に付与する。告知情報は、チケットを購入した購入者に告知すべき情報である。
【００３９】
具体的には、告知情報は、図４に示すように、購入者別、時間帯別、日付別、曜日別、チケット発行装置別、チケット発行装置１０が設置されているエリア別に登録されている。また、告知情報には、購入者全体に周知すべき情報（図４の最下部）も含まれる。図４は、本発明の実施の形態で用いられる告知情報の一例を示す図である。なお、告知情報の内容は、管理装置２０の管理者等によって、随時更新される。
【００４０】
また、管理情報設定部２１は、生成した管理情報を通信部２２に引き渡す。これにより、通信部２２は、ネットワーク３０を介して、管理情報設定部２１によって生成された管理情報を、チケット発行装置１０に送信する。
【００４１】
［装置動作及びシステム動作］
次に、本発明の実施の形態におけるチケット発行装置及びチケット発行システムの動作について図５及び図６を用いて説明する。図５は、本発明の実施の形態におけるチケット発行装置の動作を示すフロー図である。図６は、本発明の実施の形態で用いられるチケット用紙の印刷領域の一例を示す図である。
【００４２】
また、以下の説明においては、適宜図１〜図４を参酌する。また、本実施の形態では、チケット発行装置１０を動作させることによって、チケット発行方法が実施される。よって、本実施の形態におけるチケット発行方法の説明は、以下のチケット発行装置１０の動作説明に代える。
【００４３】
図５に示すように、最初に、チケット発行装置１０において、情報取得部１１が、購入情報を取得する（ステップＡ１）。更に、情報取得部１１は、取得した購入情報を、印刷処理部１３に引き渡すと共に、通信部１２にも引き渡す。
【００４４】
具体的には、まず、ユーザであるチケットの購入者が、氏名、住所、電話番号、チケットの名称等を入力すると、情報取得部１１は、これらのユーザが入力した情報を取得する。また、情報取得部１１は、所定の情報が入力された日時及び曜日、チケット発行装置１０の識別子、及び設置エリアを特定し、ユーザが入力した情報と、特定した情報とを合わせて、購入情報とする。
【００４５】
次に、通信部１２は、ステップＡ１で取得された購入情報を、ネットワーク３０を介して、管理装置２０に送信する（ステップＡ２）。ステップＡ２が実行されると、管理装置２０において処理が実行される。管理装置２０における処理については後述する。
【００４６】
次に、印刷処理部１３は、プリンタ１４に、購入情報を渡し、チケット用紙１６の印刷方向側の領域に、ステップＡ１で取得された購入情報を印刷するように指示する（ステップＡ３）。これにより、図６に示すように、プリンタ１４は、チケット用紙１６の印刷方向側の領域に、購入情報（図３参照）を印刷する。
【００４７】
なお、図５の例では、ステップＡ２の実行後に、ステップＡ３が実行されているが、本実施の形態では、ステップＡ２とステップＡ３とは同時に実行されても良いし、ステップＡ３の実行後にステップＡ２が実行されても良い。
【００４８】
次に、印刷処理部１３は、ネットワーク３０を介して、管理装置２０からの管理情報が受信されているかどうかを判定する（ステップＡ４）。具体的には、印刷処理部１３は、通信部１２が、管理装置２０から送信されてきた管理情報を受信しているかどうかを判定する。
【００４９】
ステップＡ４の判定の結果、管理情報が受信されていない場合は、印刷処理部１３は、待機状態となり、一定時間の経過後に、再度ステップＡ４を実行する。一方、ステップＡ４の判定の結果、管理情報が受信されている場合は、印刷処理部１３は、プリンタ１４に、管理情報を渡し、印刷方向方側の領域以外の領域（手前側の領域）に、管理情報を印刷するように指示する（ステップＡ５）。
【００５０】
ステップＡ５の実行により、図６に示すように、プリンタ１４は、購入情報が既に印刷されているチケット用紙１６の手前側の領域に、管理情報（図３参照）を印刷する。また、印刷処理部１３は、管理情報に印刷終了コードを付加しているので、プリンタ１４は、印刷終了コードを検出すると、チケット１８を排出する。
【００５１】
ここで、ステップＡ２の実行後に実行される管理装置２０での処理について説明する。まず、管理装置２０では、通信部２２が、ネットワーク３０を介して、チケット発行装置１０から送信されてきた購入情報を受信し、受信した購入情報を管理情報設定部２１に渡す。
【００５２】
次に、管理情報設定部２１は、通信部２２からから購入情報を受け取ると、購入情報に対して設定した識別番号と、電文通番と、顧客通番とを含む、管理情報を生成する。次に、管理情報設定部２１は、告知情報格納部２４に格納されている告知情報の中から、購入情報の内容に対応する告知情報を選択し、選択した告知情報を管理情報に付与する。
【００５３】
その後、管理情報設定部２１は、送信されてきた購入情報と、生成した管理情報とを、互いに関連づけてチケット情報格納部２３に格納する。更に、その際、管理情報設定部２１は、格納される管理情報を、通信部２２に引き渡す。その後、通信部２２は、ネットワーク３０を介して、管理情報を、チケット発行装置１０に送信する。これにより、上述したステップＡ４においてＹｅｓと判定される。
【００５４】
［実施の形態における効果］
以上のように、本実施の形態では、チケット発行装置１０は、管理装置２０と通信しなくても取得できる購入情報の印刷については、管理装置２０から管理情報を受信する前に、開始できる。従って、チケットの印刷にかかる時間は短縮されることになる。
【００５５】
また、本実施の形態では、図６に示すように、チケット発行装置１０は、先に印刷される購入情報を分散しないでまとめて印刷でき、後で印刷される管理情報も、別の箇所にまとめて印刷できる。更に、この場合、プリンタ１４は、印刷方向を一定とでき、印刷方向を反転させる必要がない。従って、本実施の形態によれば、プリンタ１４における印刷位置の移動を最小限とできるので、上述の効果と相俟って、いっそうチケットの印刷にかかる時間を短縮できる。
【００５６】
［プログラム］
本実施の形態におけるプログラムは、コンピュータに、図５に示すステップＡ１〜Ａ５を実行させるプログラムであれば良い。このプログラムをコンピュータにインストールし、実行することによって、本実施の形態におけるチケット発行装置１０とチケット発行方法とを実現することができる。この場合、コンピュータのＣＰＵ（Central Processing Unit）は、情報取得部１１、通信部１２、印刷処理部１３として機能し、処理を行なう。コンピュータは、パーソナルコンピュータ等の汎用のコンピュータであっても良いし、機器への組み込みを前提とした組み込み型のコンピュータであっても良い。
【００５７】
また、本実施の形態におけるプログラムは、複数のコンピュータによって構築されたコンピュータシステムによって実行されても良い。この場合は、例えば、各コンピュータが、それぞれ、情報取得部１１、通信部１２、印刷処理部１３のいずれかとして機能しても良い。
【００５８】
ここで、本実施の形態におけるプログラムを実行することによって、チケット発行装置１０を実現するコンピュータについて図７を用いて説明する。図７は、本発明の実施の形態におけるチケット発行装置１０を実現するコンピュータの一例を示すブロック図である。
【００５９】
図７に示すように、コンピュータ１１０は、ＣＰＵ１１１と、メインメモリ１１２と、記憶装置１１３と、入力インターフェイス１１４と、表示コントローラ１１５と、データリーダ／ライタ１１６と、通信インターフェイス１１７とを備える。これらの各部は、バス１２１を介して、互いにデータ通信可能に接続される。
【００６０】
ＣＰＵ１１１は、記憶装置１１３に格納された、本実施の形態におけるプログラム（コード）をメインメモリ１１２に展開し、これらを所定順序で実行することにより、各種の演算を実施する。メインメモリ１１２は、典型的には、ＤＲＡＭ（Dynamic Random Access Memory）等の揮発性の記憶装置である。また、本実施の形態におけるプログラムは、コンピュータ読み取り可能な記録媒体１２０に格納された状態で提供される。なお、本実施の形態におけるプログラムは、通信インターフェイス１１７を介して接続されたインターネット上で流通するものであっても良い。
【００６１】
また、記憶装置１１３の具体例としては、ハードディスクドライブの他、フラッシュメモリ等の半導体記憶装置が挙げられる。入力インターフェイス１１４は、ＣＰＵ１１１と、キーボード及びマウスといった入力機器１１８との間のデータ伝送を仲介する。表示コントローラ１１５は、ディスプレイ装置１１９と接続され、ディスプレイ装置１１９での表示を制御する。
【００６２】
データリーダ／ライタ１１６は、ＣＰＵ１１１と記録媒体１２０との間のデータ伝送を仲介し、記録媒体１２０からのプログラムの読み出し、及びコンピュータ１１０における処理結果の記録媒体１２０への書き込みを実行する。通信インターフェイス１１７は、ＣＰＵ１１１と、他のコンピュータとの間のデータ伝送を仲介する。
【００６３】
また、記録媒体１２０の具体例としては、ＣＦ（Compact Flash（登録商標））及びＳＤ（Secure Digital）等の汎用的な半導体記憶デバイス、フレキシブルディスク（Flexible Disk）等の磁気記録媒体、又はＣＤ−ＲＯＭ（Compact Disk Read Only Memory）などの光学記録媒体が挙げられる。
【００６４】
なお、本実施の形態におけるチケット発行装置１０は、プログラムがインストールされたコンピュータではなく、各部に対応したハードウェアを用いることによっても実現可能である。更に、チケット発行装置１０は、一部がプログラムで実現され、残りの部分がハードウェアで実現されていてもよい。
【産業上の利用可能性】
【００６５】
以上のように、本発明によれば、チケットの発行にかかる時間の短縮化を図ることができる。本発明は、チケット発行端末からチケットを発行するシステムにおいて有用である。
【符号の説明】
【００６６】
１０  チケット発行装置
１１  情報取得部
１２  通信部
１３  印刷処理部
１４  プリンタ
１５  チケット用紙供給部
１６  チケット用紙
１７  排出口
１８  チケット
２０  管理装置
２１  管理情報設定部
２２  通信部
２３  チケット情報格納部
２４  告知情報格納部
３０  ネットワーク
４０  チケット発行システム
１１０  コンピュータ
１１１  ＣＰＵ
１１２  メインメモリ
１１３  記憶装置
１１４  入力インターフェイス
１１５  表示コントローラ
１１６  データリーダ／ライタ
１１７  通信インターフェイス
１１８  入力機器
１１９  ディスプレイ装置
１２０  記録媒体
１２１  バス
【図１】
2018073063.tif 000003
【図２】
2018073063.tif 000004
【図３】
2018073063.tif 000005
【図４】
2018073063.tif 000006
【図５】
2018073063.tif 000007
【図６】
2018073063.tif 000008
【図７】
2018073063.tif 000009